(57)【要約】      （修正有）【課題】安全でかつ、鼻から息を出すイメージをしっかりと実感でき、幼児でも鼻かみを自分で容易に練習することができる、鼻かみ自助具を提供する。【解決手段】自分で鼻かみがうまくできない子供等の鼻かみ練習を補助するための鼻かみ自助具において、鼻に当てて息を吹き込むための片側の先端部に鼻孔より小さな穴４が開けられた筒状の鼻息吹き込み部２と、該鼻息吹き込み部に連結され、吹き込まれた鼻息により風船のように拡張する拡張部１とで構成する。【選択図】図２
0003182574.tif 000002
【実用新案登録請求の範囲】
【請求項１】
自分で鼻かみがうまくできない子供等の鼻かみ練習を補助するための鼻かみ自助具において、
鼻に当てて息を吹き込むための片側の先端部に鼻孔より小さな穴が開けられた筒状の鼻息吹き込み部と、該鼻息吹き込み部に連結され、吹き込まれた鼻息により拡張する拡張部とで構成されていることを特徴とする鼻かみ自助具。
【請求項２】
前記の鼻息吹き込み部は、先端部が鼻孔に当てがいやすいように、球面形状となっていることを特徴とする請求項１に記載の鼻かみ自助具。
【請求項３】
前記の鼻息吹き込み部は、鼻孔に当てがう先端部と拡張部との連結部分は管状であることを特徴とする請求項１又は請求項２に記載の鼻かみ自助具。
【請求項４】
前記の拡張部は、弾性素材により構成されていることを特徴とする請求項１から請求項３までのいずれか１項に記載の鼻かみ自助具。
【請求項５】
前記の拡張部は、拡張時に動物などの任意の形状に膨らむことを特徴とする請求項１から請求項４までのいずれか１項に記載の鼻かみ自助具。
【請求項６】
前記の前記の鼻息吹き込み部は、取替自在であることを特徴とする請求項１から請求項５までのいずれか１項に記載の鼻かみ自助具。
【請求項７】
前記の前記の鼻息吹き込み部は、その先端部が取替自在であることを特徴とする請求項１から請求項６までのいずれか１項に記載の鼻かみ自助具。
【請求項８】
前記の前記の拡張部は、取替自在であることを特徴とする請求項１から請求項７までのいずれか１項に記載の鼻かみ自助具。
【考案の詳細な説明】
【技術分野】
【０００１】
本考案は、鼻かみ練習に使用する鼻かみ自助具に関するものである。
【背景技術】
【０００２】
中耳炎は小児の上気道感染症の中でも、極めて頻度の高い疾患であるが、近年の薬剤耐性菌の急増や低年齢保育の普及により、難治例や遷延例が増加し耳鼻咽喉科診療において大きな問題となってきている。難治性中耳炎患児に鼻かみができない子が多いという現状があった。鼻洗浄や吸引など日常的な鼻漏ケアの充実を図り早期に鼻かみを習得すると早期治癒につながる。そのため外来では、鼻かみができない子に積極的に鼻かみ指導を行ってきた。しかし、保護者から、鼻洗浄や吸引はできるが「鼻かみを教えるのは難しい」「練習してなかなかできない」「年齢的にまだ早い」などの声が聞かれた。その理由は鼻から息を出すのが伝えにくいことである。
【０００３】
従来の技術として、実用新案登録第3148499号公報が公開されている。乳幼児が上手に鼻をかむ事ができるようにするための鼻かみ練習紙である。また、ローソクの炎を鼻で吹き消す方法や鼻に物を詰めて鼻息で吹き飛ばす方法などがある。
【先行技術文献】
【特許文献】
【０００４】
【特許文献１】実用新案登録第3148499号公報
【考案の概要】
【考案が解決しようとする課題】
【０００５】
従来の技術の実用新案登録第3148499号公報では、幼児に対しては鼻から息を出すと言うイメージがつかない。
【０００６】
また、ローソクの炎を鼻で吹き消す方法では幼児には火傷などの危険があり安全性に欠ける。
【０００７】
また、鼻に物を詰めて鼻息で吹き飛ばす方法では誤嚥などの危険性がある。
【０００８】
本考案は、上記の問題に鑑みてなされたものであり、安全でかつ、鼻から息を出すイメージをしっかりと実感でき、幼児でも鼻かみを自分で容易に練習することができる、鼻かみ自助具を実現することを課題とする。
【課題を解決するための手段】
【０００９】
本考案は、鼻かみができない患児に対して、「鼻ふうせん」を用いて鼻かみ指導を行うためのものである。
【００１０】
本考案の請求項１は、自分で鼻かみがうまくできない子供等の鼻かみ練習を補助するための鼻かみ自助具において、
鼻に当てて息を吹き込むための片側の先端部に鼻孔より小さな穴が開けられた筒状の鼻息吹き込み部と、該鼻息吹き込み部に連結され、吹き込まれた鼻息により拡張する拡張部とで構成されている鼻かみ自助具である。
【００１１】
該筒状の鼻息吹き込み部は、筒状に形成できるものであればいずれでも良い。たとえば、画用紙やシリコン製の筒などでも良い。鼻吹込み部の拡張部側は、拡張部が収縮した時に収納できる大きさであることが好ましい。
【００１２】
また、該拡張する拡張部は鼻息で膨らませることができるものであればいずれでも良い。例えばビニール製やゴム製の風船形状のものでも良い。
【００１３】
本考案の請求項２は、前記の鼻息吹き込み部は、先端部が鼻孔に当てがいやすいように、球面形状となっている鼻かみ自助具である。
【００１４】
本考案の請求項３は、前記の鼻息吹き込み部は、鼻孔に当てがう先端部と拡張部との連結部分は管状である鼻かみ自助具である。
【００１５】
本考案の請求項４は、前記の拡張部は、弾性素材により構成されている鼻かみ自助具である。該弾性素材は息を吹き込んだ時に容易に膨らむものであればいずれでも良い。例えばゴムふうせんや紙ふうせんなどでも良い。
【００１６】
本考案の請求項５は、前記の拡張部は、拡張時に動物などの任意の形状に膨らむ鼻かみ自助具である。該任意の形状は、まるや楕円形や動物やキャラクターなどの形状でも良い。
【００１７】
本考案の請求項６は、前記の前記の鼻息吹き込み部は、取替自在である鼻かみ自助具である。
【００１８】
本考案の請求項７は、前記の前記の鼻息吹き込み部は、その先端部が取替自在である鼻かみ自助具である。
【００１９】
本考案の請求項８は、前記の前記の拡張部は、取替自在である鼻かみ自助具である。
【考案の効果】
【００２０】
１）鼻から息を出すイメージをしっかりと実感できる。
２）安全で容易に鼻かみの練習ができる。
３）日常的な鼻漏ケアを実現できる。
４）難治性中耳炎の早期治癒につながる。
５）中耳炎の予防と治療に効果がある。
６）副鼻腔炎の予防と治療に効果がある。
７）全く鼻かみができない患児に対して、鼻かみに興味をもたせることができる。
【図面の簡単な説明】
【００２１】
【図１】本考案による鼻かみ自助具の概略図である。
【図２】本考案による鼻かみ自助具の断面図である。
【図３】本考案による鼻かみ自助具の実施例を示す図である。
【図４】鼻かみ練習用のパンフレットを示す図である。
【図５】本考案による鼻かみ自助具の使用例を示す図である。
【考案を実施するための形態】
【００２２】
図１は本考案による鼻かみ自助具の概略図であり、鼻に当てて息を吹き込むための片側の先端部に鼻孔より小さな穴４が開けられた筒状の鼻息吹き込み部２と、該鼻息吹き込み部２に連結され、吹き込まれた鼻息により拡張する拡張部１とで構成されている。
【００２３】
該鼻息吹き込み部２は、紙製の筒形状であり、先端側が徐々に細くなっており、その先端部には、鼻にあてがい、鼻息を吹き込むための鼻孔より小さな穴４が開けられている。３は鼻息吹き込み部２と拡張部１との連結シール部３を示す。連結部は拡張部1と鼻息吹込み部2とを連結出来るものであればいづれでもよい。例えばゴムやシールなどで連結してもよい。拡張部１は、風船のように鼻息で膨らませることができるものである。
【００２４】
図２は、本考案による鼻かみ自助具の縦断面図である。鼻息吹き込み部２は、厚紙製であり、拡張部１は、ビニール製の風船である。該鼻息吹き込み部２の吹き出し側に拡張部１の風船入口部分が連結されており、該連結部分５の外周部を粘着シール３で接着されている。
【００２５】
該ビニール製の風船（拡張部１）の外面には、ばい菌やぞう、ジョーズなどの動物を思わせるキャラクターなどを描いても良い。
【００２６】
図３は、本考案による鼻かみ自助具の一実施例を示す図である。拡張部１の風船部分を縮めた状態（上部）と、風船部分が膨らませた状態（下部）を示す。
【００２７】
この鼻かみ自助具は、使用時において、まず風船部（拡張部１）を鼻息吹き込み部２の中に押し込み、鼻息で風船が飛び出ることにより、鼻から息を出すイメージをしっかりと実感できるようにしたものである。
【００２８】
このように、鼻から息を出すイメージをしっかりと掴むことにより、効果的な鼻かみの練習を行なうことができるものである。
【００２９】
図４は、鼻かみ練習用のパンフレットを示す図である。
【００３０】
鼻かみ練習は、
１）片方の鼻を閉じる。
２）息を吸い込む。
３）しっかり口を閉じる。
４）少しずつ優しくかむ。
の通りである。
【００３１】
本考案の鼻かみ自助具を用いて、このパンフレットに示すように、片方の鼻を閉じ、もう片方の鼻に鼻かみ自助具をあてがい、鼻かみ練習を行った。
【００３２】
図５は、本考案による鼻かみ自助具の使用例を示す図である。
【００３３】
図に示すように、子供でも自分で鼻かみ練習を容易に行うことができ、風船部（拡張部１）にキャラクター等を描き、楽しく鼻かみ練習を行うことができ、鼻かみのコツを覚えやすく、短期間に上手に鼻かみができるようになるものである。
【００３４】
〔実験例〕
被験者は、自分で鼻かみがうまくできない、１歳から４歳までの男子３２名、女子１７名について本考案による鼻かみ自助具を用いて上記に示す鼻かみ練習を行った。
鼻かみ指導直後は２５名（５１％）であったものが、２週間後は３４名（６９％）が鼻かみができるようになった。
【００３５】
また、３歳未満の２９名中では、指導直後１０名（１歳児１名含む。）であったが、指導２週間後では、１７名が鼻かみができるようになった。
【００３６】
このように、３歳未満の幼児においても効果的な鼻かみ練習であることが確認された。
【図１】
0003182574.tif 000003
【図２】
0003182574.tif 000004
【図３】
0003182574.tif 000005
【図４】
0003182574.tif 000006
【図５】
0003182574.tif 000007
【手続補正書】
【提出日】平成25年1月31日(2013.1.31)
【手続補正１】
【補正対象書類名】図面
【補正対象項目名】図５
【補正方法】変更
【補正の内容】
【図５】
0003182574.tif 000008
【手続補正２】
【補正対象書類名】実用新案登録請求の範囲
【補正対象項目名】全文
【補正方法】変更
【補正の内容】
【実用新案登録請求の範囲】
【請求項１】
自分で鼻かみがうまくできない子供等の鼻かみ練習を補助するための鼻かみ自助具において、
鼻に当てて息を吹き込むための片側の先端部に鼻孔より小さな穴が開けられた筒状の鼻息吹き込み部と、該鼻息吹き込み部に連結され、吹き込まれた鼻息により拡張する拡張部とで構成されていることを特徴とする鼻かみ自助具。
【請求項２】
前記の鼻息吹き込み部は、先端部が鼻孔に当てがいやすいように、球面形状となっていることを特徴とする請求項１に記載の鼻かみ自助具。
【請求項３】
前記の鼻息吹き込み部は、鼻孔に当てがう先端部と拡張部との連結部分は管状であることを特徴とする請求項１又は請求項２に記載の鼻かみ自助具。
【請求項４】
前記の拡張部は、弾性素材により構成されていることを特徴とする請求項１から請求項３までのいずれか１項に記載の鼻かみ自助具。
【請求項５】
前記の拡張部は、拡張時に動物などの任意の形状に膨らむことを特徴とする請求項１から請求項４までのいずれか１項に記載の鼻かみ自助具。
【請求項６】
前記の鼻息吹き込み部は、取替自在であることを特徴とする請求項１から請求項５までのいずれか１項に記載の鼻かみ自助具。
【請求項７】
前記の鼻息吹き込み部は、その先端部が取替自在であることを特徴とする請求項１から請求項６までのいずれか１項に記載の鼻かみ自助具。
【請求項８】
前記の拡張部は、取替自在であることを特徴とする請求項１から請求項７までのいずれか１項に記載の鼻かみ自助具。